(57)【要約】【課題】カメラ装置の筐体内部での湿気の対流を遮断して光学レンズでの結露を抑制する。【解決手段】カメラ装置の鏡筒５の先端に於ける段差部５Ｃと、当該段差部５Ｃに当接する第２レンズ２の周縁部分との間を、封止部材１６として例えばシリコーン系の接着剤で以って直接封止し、第１レンズ１と第２レンズ２の間のレンズ間空間Ｓ１と、第２レンズ２後方側の筐体内空間Ｓ２との間を通気止めする。この様な封止構造により、筐体内空間Ｓ２の湿気が対流によりレンズ間空間Ｓ１へ進入するのを遮断して、第１レンズ１および第２レンズ２での結露を抑制できる。【選択図】図１
2006349752.tif 000002
【特許請求の範囲】
【請求項１】
筐体の前面開口部に取付けられた第１レンズと、前記筐体内で前記第１レンズの裏面側に配設された第２レンズとを備え、前記第１レンズと前記第２レンズの間を、それらの周縁部において封止部材で封止したことを特徴とする、カメラ装置。
【請求項２】
前記筐体は、撮像素子を収容したケースと、前記ケースの開口部に後部が嵌合された筒状の鏡筒とを備え、前記鏡筒の前部に前記第１レンズと前記第２レンズとが取付けられたことを特徴とする、請求項１に記載のカメラ装置。
【発明の詳細な説明】
【技術分野】
【０００１】
本発明は、カメラ装置に於ける結露抑制技術に関する。
【背景技術】
【０００２】
デジタルカメラや車載用カメラの様なカメラ本体が密閉構造に成る筐体では、内部が高湿に成ることによって、結露が発生してしまい、場合によっては、光学レンズにも結露が発生し、所望とする映像が得られないと言う問題点がある。
【０００３】
そこで、結露を未然に防止する方法として、従来の方式では、（１）筐体内部を乾燥剤で除湿する技術（例えば特許文献１参照）、あるいは、（２）ＣＣＤ基板から発生する熱を熱伝導率の良い材料（金属）を用いて、結露箇所付近へ熱伝達して結露を発生し難くする構造が提案されている（例えば特許文献２参照）。更には、（３）筐体の一部を薄肉化して、先に薄肉化した部分に結露を発生させると言う構造もある（例えば特許文献３参照）。
【０００４】
【特許文献１】特開平１１−１１９３１５号公報
【特許文献２】特開平８−９２０８号公報
【特許文献３】特開２０００−１９４０４８号公報
【発明の開示】
【発明が解決しようとする課題】
【０００５】
しかし、特許文献１や特許文献２の技術では、金属や乾燥剤を使うことによる高コスト化となり、しかも、乾燥剤設置のスペースを確保する必要性があり、低コスト化及び小型化が求められるカメラにとっては、大きな欠点となる。
【０００６】
また、特許文献３の技術では、通電によりカメラ内部の温度が高くなると、湿気の対流が起こり筐体内部で湿気の分布が発生し、レンズ付近の湿度上昇を避けることが出来ないと言う問題点がある。
【０００７】
本発明はこの様な技術的状況に鑑みて成されたものであり、低コスト化および小型化を図りながら光学レンズ部分での結露の発生を抑制することが出来るカメラ装置を提供することを、その目的とする。
【課題を解決するための手段】
【０００８】
この発明の主題に係るカメラ装置では、筐体の前面開口部に取付けられた第１レンズと、前記筐体内で前記第１レンズの裏面側に配設された第２レンズとを備え、前記第１レンズと前記第２レンズの間を、それらの周縁部において封止部材で封止したことを特徴とする。筐体は、例えば撮像素子を収容したケースと、ケースの開口部に後部が嵌合された筒状の鏡筒とを備え、鏡筒の前部に第１レンズと第２レンズとが取付けられるものなどが考えられる。
【０００９】
以下、この発明の主題の様々な具体化を、添付図面を基に、その効果・利点と共に、詳述する。
【発明の効果】
【００１０】
本発明の主題によれば、第１レンズと第２レンズの間に形成されるレンズ間空間と、第２レンズ裏面側の筐体内空間とが、封止部材により通気止めされるため、筐体内空間の湿気がレンズ間空間に流入するのを防止でき、第１レンズおよび第２レンズでの結露を抑制できる。しかも、封止部材により通気止めするため、低コストで且つカメラ寸法を大型化することなく結露防止を図れる。特に、筐体が、撮像素子を収容したケースと、ケースの開口部に後部が嵌合された筒状の鏡筒とを備えて構成され、鏡筒の前部に第１レンズと第２レンズとが取付けられるものにあっては、撮像素子への通電によりケース内で温められた湿気が対流により鏡筒内を前方へ進行しても、封止部材により第１レンズと第２レンズの間のレンズ間空間に進入するのを阻止でき、低コスト化および小型化を図りながら第１レンズおよび第２レンズでの結露の発生を抑制できる。
【発明を実施するための最良の形態】
【００１１】
（実施の形態）
図１は、本実施の形態に係るカメラ装置の構成を模式的に示す断面図であり、図２は図１の破線で囲まれるＲ部分の拡大断面図である。
【００１２】
同図において、カメラ装置は、その筐体を成す、鏡筒５、前側ケース６、後側ケース７及びレンズ押さえ８を有している。そして、当該筐体内部の後方空間である前側ケース６および後側ケース７内に収容されたＣＣＤ基板４上には、固体撮像素子としてのＣＣＤ３が搭載されており、ＣＣＤ３の出力信号は、両ケース６，７内に設けられたワイヤ１２を介し、出力端を成す出力取出しケーブル１０を通じて、外部回路１１へ伝送される。
【００１３】
又、前側ケース６の開口部６ａには、筒状の鏡筒５の後部がＯリング１３により気密状態を保つようにして嵌合保持されている。そして、鏡筒５の前部には、その前端面と内周面のコーナ部に全周にわたって第２レンズ２の周縁部を保持するための段差部５Ｃが形成されている。
【００１４】
又、鏡筒５に保持されるレンズ群に関しては、その先端部に位置して外気に接した第１レンズ１と、当該筐体内で第１レンズ１の裏面側に配設された第２レンズ２とを、少なくとも備えている。もちろん、第２レンズ２の後方とＣＣＤ３との間に、任意の数の光学レンズを設けても良く、この実施形態においても複数の光学レンズ１４，１５（中間部分のレンズは図示省略）を配設している。第１レンズ１の周縁部は、Ｏリング９により気密状態を保つようにして鏡筒５の前端面と接触しており、且つ、鏡筒５および前側ケース６の外周側に取付けられたレンズ押さえ８によって支持されている。
【００１５】
本実施の形態の特徴点は、先端部分の第１レンズ１と第２レンズ２との間を、それらの周縁部において接着剤あるいはＯリングなどから成る封止部材１６で直接に封止して、第１レンズ１及び第２レンズ２間のレンズ間空間Ｓ１と、第２レンズ２の後方側の筐体内空間Ｓ２との間を通気止めにした点にある。より詳細には、段差部５ｃに塗布された接着剤やＯリングなどの封止部材１６により、第２レンズ２の周縁部と段差部５Ｃとの間及び第２レンズ２の周縁部とこれに接触する第１レンズ１との間を直接に封止する。尚、封止部材１６を成す接着剤としては、シリコーン系等の接着剤を用いるのが好ましい。
【００１６】
この様に、先端部分の光学レンズ１，２間をそれらの周縁部において封止部材１６により通気止めにすることにより、筐体内空間Ｓ２の湿気が対流によりレンズ間空間Ｓ１に進入するのを遮断することが出来、第１レンズ１および第２レンズ２での結露の発生を抑制出来る。特に、ＣＣＤ３への通電によりＣＣＤ基板４が加熱されると、前側ケース６および後側ケース７の湿気が温められて、対流により鏡筒５内を前方へ進行しやすくなるが（ここで第２レンズ２よりも後方側のレンズ１４，１５は鏡筒５内に単に嵌合されているにすぎないため、湿気はレンズ１４，１５の外周部と鏡筒５の内周面との間を通って鏡筒５内を前方側に進行可能である）、この場合でも封止部材１６によりレンズ間空間Ｓ１への進入を確実に防止することができ、第１レンズ１および第２レンズ２での結露の発生を抑制することが出来る。しかも、結露防止のために段差部５ｃに封止部材１６を塗布するだけの簡単な構成でよいため、コストも安価で、カメラ装置のサイズが大型化することもない。なお、レンズ間空間Ｓ１は、その内部空間の容積を極力小さくすることが望ましく、このようにすれば仮に透湿が起きてもレンズ間空間Ｓ１に透過する水蒸気量を少なく抑えることが出来、両レンズ１，２での結露を有効に抑制することが出来る。
【００１７】
尚、封止部材１６としては、接着剤の他に、Ｏリングを用いても良いことは、既述した通りである。その様なＯリング２０による密閉構造を、図３の拡大断面図に例示する。
【００１８】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００１９】
この発明に係るカメラ装置は、例えば車載用カメラに適用して好適なるものである。
【図面の簡単な説明】
【００２０】
【図１】本発明の実施の形態に係るカメラ装置の構成例を模式的に示す縦断面図である。
【図２】図１の破線で囲まれるＲ部分の拡大断面図である。
【図３】Ｏリングを封止部材として用いた場合に於ける、図１の破線で囲まれるＲ部分の拡大断面図である。
【符号の説明】
【００２１】
１  第１レンズ
２  第２レンズ
３  ＣＣＤ（固体撮像素子）
４  ＣＣＤ基板
５  鏡筒
６  前側ケース
７  後側ケース
８  レンズ押さえ
９  Ｏリング
１６  封止部材
２０  Ｏリング（封止部材）
【図１】
2006349752.tif 000003
【図２】
2006349752.tif 000004
【図３】
2006349752.tif 000005